(57)【特許請求の範囲】
【請求項１】
第１壁部、第２壁部、第３壁部、第４壁部により角筒状に形成され、前記第１壁部と前記第３壁部が対向し、前記第２壁部と前記第４壁部が対向して構成された筐体と、
この筐体の内部に挿入され、前記筐体に嵌合する本体部と、
前記本体部に設けられ、外部端子との接続に供される端子と、
前記本体部に設けられ、前記端子に接続された記憶部と、
前記本体部の前記筐体内部側に突出して形成され、前記第１壁部に対向配置し、かつ、内接する第１案内板と、
前記本体部の前記筐体内部側に延設され、前記第３壁部に対向配置し、かつ、内接する第２案内板と、
前記第１案内板に本体部の外側面に第１突出量で凸状に設けられた係合部と、
前記第１壁部内壁面に設けられ、前記係合部が係合する被係合部と、
前記第２案内板は、前記本体部側に設けられた厚肉部と、先端側に設けられ、前記第３壁部側から前記第１突出量と同等もしくはそれ以上分だけ薄肉化された薄板部とを備えていることを特徴とするメモリ装置。
【請求項２】
前記厚肉部と前記薄板部との間は斜面部が形成されていることを特徴とする請求項１に記載のメモリ装置。
【請求項３】
前記筐体への前記本体部の挿入方向を基準として、前記係合部の前記本体部側端が、前記斜面部の厚肉部側端より前記筐体側に配置されていることを特徴とする請求項２に記載のメモリ装置。
【請求項４】
第１壁部、第２壁部、第３壁部、第４壁部により角筒状に形成され、前記第１壁部と前記第３壁部が対向し、前記第２壁部と前記第４壁部が対向して構成された筐体と、
この筐体の内部に挿入され、前記筐体に嵌合する本体部と、
前記第１案内板に本体部の外側面に第１突出量で凸状に設けられた係合部と、
前記第１壁部内壁面に設けられ、前記係合部が係合する被係合部と、
この本体部の前記筐体内部側に突出して形成され、前記第１壁部に対向配置し、かつ、内接する第１案内板と、
前記本体部の前記筐体内部側に延設され、前記第３壁部に対向配置し、かつ、内接する第２案内板と、
前記第２案内板は、前記本体部側に設けられた厚肉部と、先端側に設けられ、前記第３壁部側から前記第１突出量と同等もしくはそれ以上分だけ薄肉化された薄板部とを備えていることを特徴とする嵌合構造。
【請求項５】
前記厚肉部と前記薄板部との間は斜面部が形成されていることを特徴とする請求項４に記載の嵌合構造。
【発明の詳細な説明】
【技術分野】
【０００１】
本発明の実施形態は、メモリ装置及び嵌合構造に関する。
【背景技術】
【０００２】
パーソナル・コンピュータ等のＵＳＢ端子等に着脱して用いる記憶媒体の一種としてＵＳＢメモリが広く知られている。ＵＳＢメモリ装置は、例えば、樹脂材等で形成された筒状の筐体と、この筐体内部に一端側が挿入された基板や端子等を有する本体部とを備える。
筐体と本体部とは、本体部側に取り付けられた爪を筐体側に設けられた孔部や凹部に係合させて抜け止めとし、固定している。この他、樹脂成形部品の嵌合構造は、様々なものが提案されている（例えば、特許文献１〜３参照。）。
【先行技術文献】
【特許文献】
【０００３】
【特許文献１】特開平０８−２０４３８９号公報
【特許文献２】特開２００４−２４３５０１号公報
【特許文献３】特開２０１３−０２６４８０号公報
【発明の概要】
【発明が解決しようとする課題】
【０００４】
近年、ＵＳＢメモリの外観性の向上と、筐体内部へのゴミの侵入を抑制するため、本体部の爪の形状を角柱状に形成することが検討されている。一方、筐体に本体部を挿入する際、本体部の爪が筐体の開口縁に当たるため、本体部の爪を内部側に押圧する等して筐体の開口縁内部に入るようにする必要があるため、部品組立性が低下するという課題があった。したがって、本体部の爪を角柱状にしても容易に組み立てられるＵＳＢメモリ装置が必要とされている。この他、嵌合によって結合を行う他の装置においても組立性を考慮した嵌合構造が必要とされている。
【課題を解決するための手段】
【０００５】
本発明の実施形態のメモリ装置は、第１壁部、第２壁部、第３壁部、第４壁部により角筒状に形成され、前記第１壁部と前記第３壁部が対向し、前記第２壁部と前記第４部が対向して構成された筐体と、この筐体の内部に挿入され、前記筐体に嵌合する本体部と、前記本体部に設けられ、外部端子との接続に供される端子と、前記本体部に設けられ、前記端子に接続された記憶部と、前記本体部の前記筐体内部側に突出して形成され、前記第１壁部に対向配置し、かつ、内接する第１案内板と、前記本体部の前記筐体内部側に延設され、前記第３壁部に対向配置し、かつ、内接する第２案内板と、前記第１案内板に本体部の外側面に第１突出量で凸状に設けられた係合部と、前記第１壁部内壁面に設けられ、前記係合部が係合する被係合部と、前記第２案内板は、前記本体側に設けられた厚肉部と、先端側に設けられ、前記第３壁部側から前記第１突出量と同等もしくはそれ以上分だけ薄肉化された薄板部とを備えている。
【図面の簡単な説明】
【０００６】
【図１Ａ】第１の実施の形態に係るＵＳＢメモリ装置の組立前の状態を模式的に示す縦断面図。
【図１Ｂ】同ＵＳＢメモリ装置の組立中の状態を模式的に示す縦断面図。
【図１Ｃ】同ＵＳＢメモリ装置を模式的に示す縦断面図。
【図２】同ＵＳＢメモリ装置の要部を模式的に示す側面図。
【図３】同ＵＳＢメモリ装置の要部を示す斜視図。
【図４】同ＵＳＢメモリ装置の要部を示す斜視図。
【図５】第２の実施の形態に係る嵌合構造を有するパイプを模式的に示す斜視図。
【図６】同嵌合構造を有するパイプを示す斜視図。
【図７】第３の実施の形態に係る嵌合構造を有するコネクタを模式的に示す斜視図。
【発明を実施するための形態】
【０００７】
図１Ａは第１の実施の形態に係るＵＳＢメモリ装置１０の組立前の状態を模式的に示す縦断面図、図１ＢはＵＳＢメモリ装置１０の組立中の状態を模式的に示す縦断面図、図１ＣはＵＳＢメモリ装置１０を模式的に示す縦断面図、図２はＵＳＢメモリ装置１０の要部を模式的に示す側面図、図３はＵＳＢメモリ装置１０の要部を示す斜視図、図４はＵＳＢメモリ装置１０の要部を示す斜視図である。
【０００８】
ＵＳＢメモリ装置１０は、角筒状の筐体２０と、この筐体２０の内部に挿入され、前記筐体２０に嵌合する本体部３０とを備えている。
【０００９】
筐体２０は、第１壁部２１、第２壁部２２、第３壁部２３、第４壁部２４により角筒状に形成され、第１壁部２１と第３壁部２３が対向し、第２壁部２２と第４部２４が対向して構成されている。なお、端部は底壁２５により閉塞されている。また、第１壁部２１内壁面には、後述する凸部（係合部）が係合する孔部（被係合部）２６が設けられている。
【００１０】
本体部３０は、外周面が筐体２０の内壁面に嵌合するように形成されており、後述する端子６０に接続された記憶部５０と、外部端子との接続に供される端子６０とを備えている。本体部３０には、筐体２０内部側に突出して形成され、第１壁部２１に対向配置し、かつ、内接する第１案内板４１と、本体部３０の筐体２０内部側に延設され、第３壁部２３に対向配置し、かつ、内接する第２案内板４２とを備えている。なお、第１案内板４１の外側面と第２案内板４２の厚肉部４２ａの外側面との間の距離は、筐体２０の第１壁部２１と第３壁部２３との間の距離よりも僅かに小さく設定されており、本体部３０が筐体２０内に挿入されると十分な接触力で保持される。なお、本実施形態では本体部３０は筐体２０から外れ難くなるように設けているが、着脱自在になるように設けてもよい。
【００１１】
第１案内板４１には、本体部３０の外側面に第１突出量αで凸状に設けられた凸部（係合部）４１ａが設けられている。凸部４１ａは角柱形状となるように形成されている。なお、凸部４１ａは柱状であればよく角柱形状に限られない。第２案内板４２は、本体部３０側に設けられた厚肉部４２ａと、先端側に設けられ、第３壁部２３側から第１突出量αと同等もしくはそれ以上分（β）だけ薄肉化された薄板部４２ｂと、厚肉部４２ａと薄肉部４２ｂとを繋ぐ斜面部４２ｃとを備えている。
【００１２】
次に、凸部４１ａと斜面部４２ｃとの位置関係について説明する。図２に示すように、筐体２０への本体部３０の挿入方向（図中左右方向）を基準として、斜面部４２ｃの厚肉部４２ａ側端より、凸部４１ａの本体部３０側端が筐体２０側に配置されている。
【００１３】
このように構成されたＵＳＢメモリ装置１０は、次のようにして組み立てる。すなわち、図１Ａに示すように、第１案内板４１を第１壁部２１、第２案内板４２を第３壁部２３に対向させ、記憶部５０を筐体２０内に挿入する。
【００１４】
第１案内板４１の凸部４１ａが筐体２０の第１壁部２１に達すると、凸部４１ａが第１壁部２１に当接するが、図１Ｂに示すように第２案内板４２の薄肉部４２ｂも同時に第３壁部２３に到達し、薄肉されている寸法βだけ本体部３０全体を上方にシフトすることができるので、凸部４１ａを第１壁部２１の内壁面側を通して挿入することができる。さらに、本体部３０を挿入すると、斜面部４２ｃが第３壁部２３の端部に当接して挿入され、続いて、厚肉部４２ａが挿入される。一方、凸部４１ａは孔部２６に入る。凸部４１ａと孔部２６との係合により、本体部３０と筐体２０との間の結合が堅固となる。
【００１５】
本実施の形態に係るＵＳＢメモリ装置１０によれば、第１案内板４１の凸部４１ａが筐体２０に挿入される際に、反対側に設けられた第２案内板４２の薄肉部４２ｂによって第３壁部２３側にシフトさせ、凸部４１ａと第１壁部２１との干渉を防止することできるため、大きな力を必要とすることなく、また、治具を用いることなく、筐体２０と本体部３０とを組み立てることができる。
【００１６】
なお、凸部４１ａと斜面部４２ｃとの位置関係が、筐体２０への本体部３０の挿入方向（図中左右方向）を基準として、斜面部４２ｃの厚肉部４２ａ側端より、凸部４１ａの本体部３０側端が筐体２０側に配置されていることで、厚肉部４２ａが第３壁部２３に達する前に凸部４１ａを第１壁部２１内部に挿入することが可能となる。
【００１７】
図５は第２の実施の形態に係る嵌合構造を有するパイプ１００を模式的に示す斜視図、図６は同嵌合構造を有するパイプ１００を示す分解斜視図である。
【００１８】
パイプ１００は、第１パイプ１１０と、この第１パイプ１１０の内側に嵌合する第２パイプ１２０とを備えている。
【００１９】
第１パイプ１１０は、第１壁部１１１、第２壁部１１２、第３壁部１１３、第４壁部１１４により角筒状に形成され、第１壁部１１１と第３壁部１１３が対向し、第２壁部１１２と第４部１１４が対向して構成されている。また、第１壁部１１１内壁面には、後述する凸部（係合部）１２５ａが係合する孔部（被係合部）１１５が設けられている。
【００２０】
第２パイプ１２０は、第１壁部１２１、第２壁部１２２、第３壁部１２３、第４壁部１２４により角筒状に形成され、第１壁部１２１と第３壁部１２３が対向し、第２壁部１２２と第４部１２４が対向して構成されている。
【００２１】
第２パイプ１２０の外側面は第１パイプ１１０の内壁面に内接し、全体として嵌合する寸法に設定されている。第１壁部１２１には、第１パイプ１１０側に第１案内板１２５が、第３壁部１２３には、第１パイプ１１０側に第２案内板１２６が設けられている。
【００２２】
第１案内板１２５の外側面には、第１突出量αで凸状に設けられた凸部（係合部）１２５ａが設けられている。第２案内板１２６は、第３壁部１２３側に設けられた厚肉部１２６ａと、先端側に設けられ、第３壁部１２３側から第１突出量αと同等もしくはそれ以上分（β）だけ薄肉化された薄板部１２６ｂと、厚肉部１２６ａと薄肉部１２６ｂとを繋ぐ斜面部１２６ｃとを備えている。
【００２３】
このように構成されたパイプ１００は、次のようにして組み立てる。すなわち、第２パイプ１２０を、第１案内板１２５を第１壁部１１１、第２案内板１２６を第３壁部１１３に対向させて第１パイプ１１０内に挿入する。
【００２４】
第１案内板１２５の凸部１２５ａが第１パイプ１１０の第１壁部１１１に達すると、凸部１２５ａが第１壁部１１１に当接するが、第２案内板１２６の薄肉部１２６ｂも同時に第３壁部１１３に到達し、薄肉されている寸法βだけ第２パイプ１２０全体を上方にシフトすることができるので、凸部１２５ａを第１壁部１１１の内壁面側を通して挿入することができる。さらに、第２パイプ１２０を挿入すると、斜面部１２６ｃが第３壁部１１３の端部に当接して挿入され、続いて、厚肉部１２６ａが挿入される。一方、凸部１２５ａは孔１１５に入る。凸部１２５ａと孔部１１５との係合により、第１パイプ１１０と第２パイプ１２０との間の結合が堅固となる。
【００２５】
本実施の形態に係る嵌合構造を有するパイプ１００によれば、上述したＵＳＢメモリ装置１０と同様の効果を得ることができる。
【００２６】
図７は第３の実施の形態に係る嵌合構造を有するコネクタ２００を模式的に示す斜視図である。
【００２７】
コネクタ２００は、第１コネクタ２１０と、この第１コネクタ２１０の内側に嵌合する第２コネクタ２２０とを備えている。なお、第１コネクタ２１０にはリード線２３０、第２コネクタ２２０にはリード線２４０が接続されている。
【００２８】
第１コネクタ２１０は、第１壁部２１１、第２壁部２１２、第３壁部２１３、第４壁部２１４により角筒状に形成され、第１壁部２１１と第３壁部２１３が対向し、第２壁部２１２と第４部２１４が対向して構成されている。また、第１壁部２１１内壁面には、後述する凸部（係合部）２２５ａが係合する孔部（被係合部）２１５が設けられている。
【００２９】
第２コネクタ２２０は、第１壁部２２１、第２壁部２２２、第３壁部２２３、第４壁部２２４により角筒状に形成され、第１壁部２２１と第３壁部２２３が対向し、第２壁部２２２と第４部２２４が対向して構成されている。
【００３０】
第２コネクタ２２０の外側面は第１コネクタ２１０の内壁面に内接し、全体として嵌合する寸法に設定されている。第１壁部２２１には、第１コネクタ２１０側に第１案内板２２５が、第３壁部２２３には、第１コネクタ２１０側に第２案内板２２６が設けられている。
【００３１】
第１案内板２２５の外側面には、第１突出量αで凸状に設けられた凸部（係合部）２２５ａが設けられている。第２案内板２２６は、第３壁部２２３側に設けられた厚肉部２２６ａと、先端側に設けられ、第３壁部２２３側から第１突出量αと同等分（β）だけ薄肉化された薄板部２２６ｂと、厚肉部２２６ａと薄肉部２２６ｂとを繋ぐ斜面部２２６ｃとを備えている。
【００３２】
このように構成されたコネクタ２００では、次のようにして第１コネクタ２１０と第２コネクタ２２０を接続する。すなわち、第２コネクタ２２０を、第１案内板２２５を第１壁部２１１、第２案内板２２６を第３壁部２１３に対向させて第１コネクタ２１０内に挿入する。
【００３３】
第１案内板２２５の凸部２２５ａが第１コネクタ２１０の第１壁部２１１に達すると、凸部２２５ａが第１壁部２１１に当接するが、第２案内板２２６の薄肉部２２６ｂも同時に第３壁部２１３に到達し、薄肉されている寸法βだけ第２コネクタ２２０全体を上方にシフトすることができるので、凸部２２５ａを第１壁部２１１の内壁面側を通して挿入することができる。さらに、第２コネクタ２２０を挿入すると、斜面部２２６ｃが第３壁部２１３の端部に当接して挿入され、続いて、厚肉部２２６ａが挿入される。一方、凸部２２５ａは孔２１５に入る。凸部２２５ａと孔部２１５との係合により、第１コネクタ２１０と第２コネクタ２２０との間の結合が堅固となる。同時に、リード線２３０とリード線２４０とが接続される。
【００３４】
本実施の形態に係る嵌合構造を有するコネクタ２００によれば、上述したＵＳＢメモリ装置１０と同様の効果を得ることができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１０…ＵＳＢメモリ、２０…筐体、２６…孔部、３０…本体部、４１…第１案内板、４１ａ…凸部、４２…第２案内板、４２ａ…厚肉部、４２ｂ…薄肉部、４２ｃ…斜面部、１００…パイプ、１１０…第１パイプ、１１５…孔部、１２０…第２パイプ、１２５…第１案内板、１２５ａ…凸部、１２６…第２案内板、１２６ａ…厚肉部、１２６ｂ…薄肉部、１２６ｃ…斜面部、２００…コネクタ、２１０…第１コネクタ、２１５…孔部、２２０…第２コネクタ、２２５…第１案内板、２２５ａ…凸部、２２６…第２案内板、２２６ａ…厚肉部、２２６ｂ…薄肉部、２２６ｃ…斜面部。
【図１Ａ】
0006373240.tif 000002
【図１Ｂ】
0006373240.tif 000003
【図１Ｃ】
0006373240.tif 000004
【図２】
0006373240.tif 000005
【図３】
0006373240.tif 000006
【図４】
0006373240.tif 000007
【図５】
0006373240.tif 000008
【図６】
0006373240.tif 000009
【図７】
0006373240.tif 000010